(57)【要約】【課題】  光源を利用して居住者等の快適感を向上させることができる輻射パネル構造体および空気調和機を提供する。【解決手段】  輻射パネル構造体５ａは、照明ＬＴに対向して配置される輻射パネル構造体であって、空気取入れ口５１と、輻射部５２ａとを備える。空気取入れ口５１は、温度調整された空気を取り入れる。輻射部５２ａは、温度調整された空気が取り入れられることにより大気圧より大きな圧力が生じる圧力発生空間ＰＳを構成する。また、輻射部５２ａは、第１輻射面５４ａと透明面５５とを有する。第１輻射面５４ａは、複数の孔を有する。透明面５５は、第１輻射面５４ａと照明ＬＴとの間に配置され、光透過性を有する。【選択図】      図２
2004294053.tif 000002
【特許請求の範囲】
【請求項１】
光源（ＬＴ）に対向して配置される輻射パネル構造体であって、
温度調整された空気を取り入れる空気取入れ部（５１）と、
温度調整された空気が取り入れられることにより大気圧より大きな圧力が生じる圧力発生空間（ＰＳ）を構成する圧力発生空間構成部（５２ａ−５２ｅ）と、
を備え、
前記圧力発生空間構成部（５２ａ−５２ｅ）は、
複数の孔を有する輻射面（５４ａ−５４ｅ）と、
前記輻射面（５４ａ−５４ｅ）と前記光源（ＬＴ）との間に配置され光透過性を有する透過部（５５）と、
を有する、
輻射パネル構造体（５ａ−５ｅ）。
【請求項２】
前記透過部は、透明な透明面（５５）である、
請求項１に記載の輻射パネル構造体（５ａ−５ｅ）。
【請求項３】
前記輻射面（５４ａ−５４ｅ）は、所定の輻射率を有する繊維系材料によって形成される、
請求項１または２に記載の輻射パネル構造体（５ａ−５ｅ）。
【請求項４】
光源（ＬＴ）に対向して配置される輻射パネル構造体であって、
第１光透過度を有する第１部（５７）と、
前記第１光透過度と異なる第２光透過度を有する第２部（５８）と
を備える、
輻射パネル構造体（５ｂ，５ｃ）。
【請求項５】
前記第１部（５７）は、前記第２部（５８）よりも前記光源（ＬＴ）の近くに位置しており、
前記第１光透過度は、前記第２光透過度よりも大きい、
請求項４に記載の輻射パネル構造体（５ｂ，５ｃ）。
【請求項６】
前記第１部（５７）は透明である、
請求項４または５のいずれかに記載の輻射パネル構造体（５ｃ）。
【請求項７】
前記第１部（５７）は、複数の第１孔を有し、
前記第２部（５８）は、複数の前記第１孔と大きさ又は数の異なる複数の第２孔を有する、
請求項４から６のいずれかに記載の輻射パネル構造体（５ｂ，５ｃ）。
【請求項８】
前記第１部（５７）は、第１繊維系材料から形成され、輻射によって前記室内の温度調整を行い、
前記第２部（５８）は、前記第１繊維系材料と繊維の目の大きさが異なる第２繊維系材料から形成され、輻射によって前記室内の温度調整を行う、
請求項７に記載の輻射パネル構造体（５ｂ）。
【請求項９】
前記第１部（５７）と前記第２部（５８）とは、温度調整された空気が取り入れられることにより大気圧より大きな圧力が生じる圧力発生空間（ＰＳ）を構成する、
請求項７または８に記載の輻射パネル構造体（５ｂ，５ｃ）。
【請求項１０】
室内の天井（ＣＬ）または側壁（ＷＬ）近傍に配置される輻射パネル構造体であって、
温度調整された空気を取り入れる空気取入れ部（５１）と、
温度調整された空気が取り入れられることにより大気圧より大きな圧力が生じる圧力発生空間（ＰＳ）を前記天井（ＣＬ）または側壁（ＷＬ）と共に構成し、光源（ＬＴ）に対向して配置され複数の孔を有する輻射面（５４ｆ）と、
を備える輻射パネル構造体（５ｆ）。
【請求項１１】
前記光源（ＬＴ）は、前記圧力発生空間（ＰＳ）内に配置される、
請求項１０に記載の輻射パネル構造体（５ｆ）
【請求項１２】
温度調整された空気を取り入れる空気取入れ部（５１）と、
温度調整された空気が取り入れられることにより大気圧より大きな圧力が生じる圧力発生空間（ＰＳ）を構成する圧力発生空間構成部（５２ａ−５２ｆ）と、
を備え、
前記圧力発生空間構成部（５２ａ−５２ｆ）は、複数の孔を有する輻射面（５４ａ−５４ｆ）を有し、
前記圧力発生空間構成部（５２ａ−５２ｆ）の内部には、光源（ＬＴ）が配置される、
輻射パネル構造体（５ａ−５ｆ）。
【請求項１３】
前記輻射面（５４ａ−５４ｆ）は、所定の輻射率を有する繊維系材料によって形成される、
請求項１０から１２のいずれかに記載の輻射パネル構造体（５ａ−５ｆ）。
【請求項１４】
前記輻射面（５４ｆ）は、前記光源（ＬＴ）の正面に位置する部分が透明になっている、
請求項１０から１３のいずれかに記載の輻射パネル構造体（５ｆ）。
【請求項１５】
前記光源（ＬＴ）の光を反射する反射部材（６０）、
をさらに備える、
請求項１から１４のいずれかに記載の輻射パネル構造体（５ｄ）。
【請求項１６】
前記光源（ＬＴ）の光を吸収する吸収部材（６１）、
をさらに備える、
請求項１から１５のいずれかに記載の輻射パネル構造体（５ｅ）。
【請求項１７】
前記室内の天井（ＣＬ）近傍に配置される、
請求項１から１６のいずれかに記載の輻射パネル構造体（５ａ−５ｆ）。
【請求項１８】
請求項１から１７のいずれかに記載の輻射パネル構造体（５ａ−５ｆ）と、
前記輻射パネル構造体が取り付けられる取付部（２７）と、
を備える空気調和機（１）。
【発明の詳細な説明】
【技術分野】
【０００１】
本発明は、輻射パネル構造体および空気調和機に関する。
【背景技術】
【０００２】
輻射によって室内の温度調整を行うことができる輻射式空気調和機が、従来、知られている。この輻射式空気調和機には、室内の天井や側壁などの近傍に配置される輻射パネルを備えるものがある。輻射式空気調和機は、この輻射パネルから室内の居住空間へ向けて冷輻射や温輻射を行うことによって、室内の温度調整を行うことができる（特許文献１参照）。
【特許文献１】特開平５−３１２３８８号公報
【発明の開示】
【発明が解決しようとする課題】
【０００３】
一方、室内には、窓や照明などの光源が配置されることが多い。このような、光源は日常生活にとって必要なものであるが、これらの光源を利用することにより、居住者等に視覚的な効果を与えて居住者等の快適感を向上させることも可能である。
本発明の課題は、光源を利用して居住者等の快適感を向上させることができる輻射パネル構造体および空気調和機を提供することにある。
【課題を解決するための手段】
【０００４】
請求項１に記載の輻射パネル構造体は、光源に対向して配置される輻射パネル構造体であって、空気取入れ部と、圧力発生空間構成部とを備える。空気取入れ部は、温度調整された空気を取り入れる。圧力発生空間構成部は、温度調整された空気が取り入れられることにより大気圧より大きな圧力が生じる圧力発生空間を構成する。また、圧力発生空間構成部は、輻射面と透過部とを有する。輻射面は、複数の孔を有する。透過部は、輻射面と光源との間に配置され、光透過性を有する。
【０００５】
この輻射パネル構造体では、光源から発せられた光が透過部を透過して輻射面の複数の孔を通る。このため、輻射面が間接照明として機能して、穏やかな照明効果が得られる。このように、この輻射パネル構造体では、光源を利用して居住者等の快適感を向上させることができる。
また、この輻射パネル構造体では、温度調整された空気が圧力発生空間に取り入れられることにより、輻射面が温度調整される。また、輻射面の複数の孔から温度調整された空気が吹き出される。このため、この輻射パネル構造体では、輻射と空気の吹出しとによって、室内の温度調整を行うことができる。
【０００６】
請求項２に記載の輻射パネル構造体は、請求項１に記載の輻射パネル構造体であって、透過部は、透明な透明面である。
この輻射パネル構造体では、透過部が透明である。このため、光源から発せられた光が透過部をより高い透過度で透過することができる。これにより、この輻射パネル構造体では、間接照明の効果を得ることができる。
【０００７】
請求項３に記載の輻射パネル構造体は、請求項１または２に記載の輻射パネル構造体であって、輻射面は、所定の輻射率を有する繊維系材料によって形成される。
この輻射パネル構造体では、光は、輻射面の繊維の隙間を通ることにより、輻射面を透過する。このため、輻射面は、視覚的効果のより高い間接照明として機能する。これにより、この輻射パネル構造体では、居住者等の快適感をより向上させることができる。
【０００８】
請求項４に記載の輻射パネル構造体は、光源に対向して配置される輻射パネル構造体であって、第１部と第２部とを備える。第１部は、第１光透過度を有する。第２部は、第１光透過度と異なる第２光透過度を有する。
この輻射パネル構造体では、第１部と第２部とにおいて異なる透過度で光を透過させることができる。このため、室内の部分ごとに異なる照明効果が得られる。これにより、この輻射パネル構造体では、居住者等の快適感をより向上させることができる。
【０００９】
請求項５に記載の輻射パネル構造体は、請求項４に記載の輻射パネル構造体であって、第１部は、第２部よりも光源の近くに位置している。また、第１光透過度は、第２光透過度よりも大きい。
この輻射パネル構造体では、第２部よりも強い光が第１部から室内へと発せられる。このため、第１部からの比較的強い光が、強い光を必要とする室内の部分を照らすことができる。これにより、居住者等の快適感をより向上させることができる。
【００１０】
請求項６に記載の輻射パネル構造体は、請求項４または５のいずれかに記載の輻射パネル構造体であって、第１部は透明である。
この輻射パネル構造体では、第１部が透明であるため、より強い光が第１部から発せられる。このため、より強い光により、居住者等の快適感をより向上させることができる。
請求項７に記載の輻射パネル構造体は、請求項４から６のいずれかに記載の輻射パネル構造体であって、第１部は、複数の第１孔を有する。また、第２部は、複数の第１孔と大きさ又は数の異なる複数の第２孔を有する。
【００１１】
この輻射パネル構造体では、第１部が有する第１孔と第２部が有する第２孔とでは、大きさ又は数が異なる。このため、第１部と第２部との光透過度が異なるものとなる。これにより、第１部と第２部とにおいて、異なる間接照明効果が得られる。
請求項８に記載の輻射パネル構造体は、請求項７に記載の輻射パネル構造体であって、第１部は、第１繊維系材料から形成され、輻射によって前記室内の温度調整を行う。また、第２部は、第１繊維系材料と繊維の目の大きさが異なる第２繊維系材料から形成され、輻射によって室内の温度調整を行う。
【００１２】
この輻射パネル構造体では、第１部の繊維の目の大きさと第２部の繊維の目の大きさとが異なる。このため、第１部と第２部との光透過度が異なるものとなる。これにより、第１部と第２部とにおいて、異なる間接照明効果が得られる。
請求項９に記載の輻射パネル構造体は、請求項７または８に記載の輻射パネル構造体であって、第１部と第２部とは、温度調整された空気が取り入れられることにより大気圧より大きな圧力が生じる圧力発生空間を構成する。
【００１３】
この輻射パネル構造体では、温度調整された空気が圧力発生空間に取り入れられることにより、第１部と第２部とが温度調整される。また、第１部と第２部との複数の孔または繊維の隙間から温度調整された空気が吹き出される。このため、この輻射パネル構造体では、輻射と空気の吹出しとによって、室内の温度調整を行うことができる。
請求項１０に記載の輻射パネル構造体は、室内の天井または側壁近傍に配置される輻射パネル構造体であって、空気取入れ部と輻射面とを備える。空気取入れ部は、温度調整された空気を取り入れる。輻射面は、温度調整された空気が取り入れられることにより大気圧より大きな圧力が生じる圧力発生空間を天井または側壁と共に構成する。また、輻射面は、光源に対向して配置され複数の孔を有する。
【００１４】
この輻射パネル構造体では、光源から発せられた光が、光源に対向する輻射面の複数の孔を通る。このため、輻射面が間接照明として機能して、穏やかな照明効果が得られる。このように、この輻射パネル構造体では、光源を利用して居住者等の快適感を向上させることができる。
また、この輻射パネル構造体では、温度調整された空気が圧力発生空間に取り入れられることにより、輻射面が温度調整される。また、輻射面の複数の孔から温度調整された空気が吹き出される。このため、この輻射パネル構造体では、輻射と空気の吹出しとによって、室内の温度調整を行うことができる。
【００１５】
請求項１１に記載の輻射パネル構造体は、請求項１０に記載の輻射パネル構造体であって、光源は、圧力発生空間内に配置される。
この輻射パネル構造体では、圧力発生空間内に配置された光源から発せられた光が輻射面の複数の孔を通る。このため、輻射面が間接照明として機能して、穏やかな照明効果が得られる。このように、この輻射パネル構造体では、光源を利用して居住者等の快適感を向上させることができる。
【００１６】
請求項１２に記載の輻射パネル構造体は、空気取入れ部と、圧力発生空間構成部を備える。空気取入れ部は、温度調整された空気を取り入れる部分である。圧力発生空間構成部は、温度調整された空気が取り入れられることにより大気圧より大きな圧力が生じる圧力発生空間を構成する。そして、圧力発生空間構成部は、複数の孔を有する輻射面を有する。また、圧力発生空間構成部の内部には、光源が配置される。
【００１７】
この輻射パネル構造体では、圧力発生空間構成部の内部に配置された光源から発せられた光が輻射面の複数の孔を通って室内へと照射される。このため、輻射面が間接照明として機能して、穏やかな照明効果が得られる。このように、この輻射パネル構造体では、光源を利用して居住者等の快適感を向上させることができる。
また、この輻射パネル構造体では、温度調整された空気が圧力発生空間に取り入れられることにより、輻射面が温度調整される。また、輻射面の複数の孔から温度調整された空気が吹き出される。このため、この輻射パネル構造体では、輻射と空気の吹出しとによって、室内の温度調整を行うことができる。
【００１８】
請求項１３に記載の輻射パネル構造体は、請求項１０から１２のいずれかに記載の輻射パネル構造体であって、輻射面は、所定の輻射率を有する繊維系材料によって形成される。
この輻射パネル構造体では、光は、輻射面の繊維の隙間を通ることにより、輻射面を透過する。このため、輻射面が、視覚的効果のより高い間接照明として機能する。これにより、この輻射パネル構造体では、居住者等の快適感をより向上させることができる。
【００１９】
請求項１４に記載の輻射パネル構造体は、請求項１０から１３のいずれかに記載の輻射パネル構造体であって、輻射面は、光源の正面に位置する部分が透明になっている。
この輻射パネル構造体では、輻射面は、光源の正面に位置する部分が透明になっている。このため、光源からの光が輻射面を通って室内へと到達する。このため、この輻射パネル構造体では、光源からの光が妨げられることが抑えられる。
【００２０】
請求項１５に記載の輻射パネル構造体は、請求項１から１４のいずれかに記載の輻射パネル構造体であって、光源の光を反射する反射部材をさらに備える。
この輻射パネル構造体では、反射部材によって光源の光を反射させることができる。このため、この輻射パネル構造体では、光源の光が必要な部分へと光を反射させること、あるいは、光源の光が不要な部分に光源の光が届かないように反射させることにより、より快適な照明効果を得ることができる。
【００２１】
請求項１６に記載の輻射パネル構造体は、請求項１から１５のいずれかに記載の輻射パネル構造体であって、光源の光を吸収する吸収部材をさらに備える。
この輻射パネル構造体では、吸収部材によって光源の光を吸収させることができる。このため、この輻射パネル構造体では、光源の光が不要な部分に光源の光が届かないように吸収させることにより、より快適な照明効果を得ることができる。
【００２２】
請求項１７に記載の輻射パネル構造体は、請求項１から１６のいずれかに記載の輻射パネル構造体であって、室内の天井近傍に配置される。
この輻射パネル構造体では、室内の天井近傍に配置される。室内の天井には、照明装置が設けられていることが多い。このため、この輻射パネル構造体では、天井の照明装置を光源として利用することができる。
【００２３】
請求項１８に記載の空気調和機は、請求項１から１７のいずれかに記載の輻射パネル構造体と、取付部とを備える。取付部には、輻射パネル構造体が取り付けられる。
この空気調和機では、光源から発せられた光を利用して視覚的な効果が得られる。このために、この空気調和機では、光源を利用して居住者等の快適感を向上させることができる。
【発明の効果】
【００２４】
請求項１に記載の輻射パネル構造体では、輻射面が間接照明として機能して、穏やかな照明効果が得られる。このように、この輻射パネル構造体では、光源を利用して居住者等の快適感を向上させることができる。また、この輻射パネル構造体では、輻射と空気の吹出しとによって、室内の温度調整を行うことができる。
請求項２に記載の輻射パネル構造体では、光源から発せられた光が透過部をより高い透過度で透過することができる。これにより、この輻射パネル構造体では、間接照明の効果を得ることができる。
【００２５】
請求項３に記載の輻射パネル構造体では、光は、輻射面の繊維の隙間を通ることにより、輻射面を透過する。このため、輻射面は、視覚的効果のより高い間接照明として機能する。これにより、この輻射パネル構造体では、居住者等の快適感をより向上させることができる。
請求項４に記載の輻射パネル構造体では、第１部と第２部とにおいて異なる透過度で光を透過させることができる。このため、室内の部分ごとに異なる照明効果が得られる。これにより、この輻射パネル構造体では、居住者等の快適感をより向上させることができる。
【００２６】
請求項５に記載の輻射パネル構造体では、第２部よりも強い光が第１部から室内へと発せられる。このため、第１部からの比較的強い光が、強い光を必要とする室内の部分を照らすことができる。これにより、居住者等の快適感をより向上させることができる。
請求項６に記載の輻射パネル構造体では、第１部が透明であるため、より強い光が第１部から発せられる。このため、より強い光により、居住者等の快適感をより向上させることができる。
【００２７】
請求項７に記載の輻射パネル構造体では、第１部が有する第１孔と第２部が有する第２孔とでは、大きさ又は数が異なる。このため、第１部と第２部との光透過度が異なるものとなる。これにより、第１部と第２部とにおいて、異なる間接照明効果が得られる。
請求項８に記載の輻射パネル構造体では、第１部の繊維の目の大きさと第２部の繊維の目の大きさとが異なる。このため、第１部と第２部との光透過度が異なるものとなる。これにより、第１部と第２部とにおいて、異なる間接照明効果が得られる。
【００２８】
請求項９に記載の輻射パネル構造体では、温度調整された空気が圧力発生空間に取り入れられることにより、第１部と第２部とが温度調整される。また、第１部と第２部との複数の孔または繊維の隙間から温度調整された空気が吹き出される。このため、この輻射パネル構造体では、輻射と空気の吹出しとによって、室内の温度調整を行うことができる。
請求項１０に記載の輻射パネル構造体では、輻射面が間接照明として機能して、穏やかな照明効果が得られる。このように、この輻射パネル構造体では、光源を利用して居住者等の快適感を向上させることができる。また、この輻射パネル構造体では、輻射と空気の吹出しとによって、室内の温度調整を行うことができる。
【００２９】
請求項１１に記載の輻射パネル構造体では、圧力発生空間に配置された光源から発せられた光が輻射面の複数の孔を通る。このため、輻射面が間接照明として機能して、穏やかな照明効果が得られる。このように、この輻射パネル構造体では、光源を利用して居住者等の快適感を向上させることができる。
請求項１２に記載の輻射パネル構造体では、圧力発生空間構成部の内部に配置された光源から発せられた光が輻射面の複数の孔を通って室内へと照射される。このため、輻射面が間接照明として機能して、穏やかな照明効果が得られる。このように、この輻射パネル構造体では、光源を利用して居住者等の快適感を向上させることができる。また、この輻射パネル構造体では、輻射と空気の吹出しとによって、室内の温度調整を行うことができる。
【００３０】
請求項１３に記載の輻射パネル構造体では、光は、輻射面の繊維の隙間を通ることにより、輻射面を透過する。このため、輻射面が、視覚的効果のより高い間接照明として機能する。これにより、この輻射パネル構造体では、居住者等の快適感をより向上させることができる。
請求項１４に記載の輻射パネル構造体では、輻射面は、光源の正面に位置する部分が透明になっている。このため、光源からの光が輻射面を通って室内へと到達する。このため、この輻射パネル構造体では、光源からの光が妨げられることが抑えられる。
【００３１】
請求項１５に記載の輻射パネル構造体では、反射部材によって光源の光を反射させることができる。このため、この輻射パネル構造体では、光源の光が必要な部分へと光を反射させること、あるいは、光源の光が不要な部分に光源の光が届かないように反射させることにより、より快適な照明効果を得ることができる。
請求項１６に記載の輻射パネル構造体では、吸収部材によって光源の光を吸収させることができる。このため、この輻射パネル構造体では、光源の光が不要な部分に光源の光が届かないように吸収させることにより、より快適な照明効果を得ることができる。
【００３２】
請求項１７に記載の輻射パネル構造体では、室内の天井近傍に配置される。室内の天井には、照明装置が設けられていることが多い。このため、この輻射パネル構造体では、天井の照明装置を光源として利用することができる。
請求項１８に記載の空気調和機では、光源から発せられた光を利用して視覚的な効果が得られる。このために、この空気調和機では、光源を利用して居住者等の快適感を向上させることができる。
【発明を実施するための最良の形態】
【００３３】
＜第１実施形態＞
［全体構成］
本発明の第１実施形態にかかる空気調和機１を図１に示す。この空気調和機１は、室内機２と室外機３とを備えており、輻射と、温度調整された空気の吹き出しとによって冷暖房等の室内の空気調和を行うことができる。なお、図１では、理解の容易のため、空気調和機１の一部が断面図として示されている。
【００３４】
室外機３は、室外に配置され、圧縮機３１、四路切換弁３２、電動弁３３、室外ファン（図示せず）、室外ファンモータ３４、室外機温度センサ３５（以上、図３参照）、室外熱交換器（図示せず）等を備えている。
圧縮機３１、電動弁３３、四路切換弁３２、室外熱交換器等は、後述する室内熱交換器と共に冷媒回路を構成している。室外ファンは、室外ファンモータ３４によって回転駆動され、室外熱交換器を通る空気の流れを生成する。室外機温度センサ３５には、室外熱交換器の温度や室外空気の温度を検出する各種の温度センサが含まれる。
【００３５】
室内機２は、室内の天井ＣＬ近傍や側壁等の配置され、室内機ケーシング２１、室内熱交換器２２、室内ファン２３、室内ファンモータ２４（図３参照）、室内機温度センサ２５（図３参照）、輻射パネル構造体５ａなどを備えている。
室内機ケーシング２１は、室内熱交換器２２や室内ファン２３等を内部に収納しており、吸込み口２６と接続口２７（取付部）とを備えている。吸込み口２６は、室内から室内機ケーシング２１内へと取り入れられる空気が通る開口である。接続口２７は、室内機ケーシング２１内で室内熱交換器２２を通って輻射パネル構造体５ａへと送られる空気が通る開口であり、後述する輻射パネル構造体５ａの空気取入れ口５１（空気取入れ部）に接続される。
【００３６】
室内熱交換器２２は、室外熱交換器や圧縮機３１等と冷媒配管４を介して接続されている。室内熱交換器２２は、通過する空気との間で熱交換を行うことによって、空気の温度調整を行う。
室内ファン２３は、室内ファンモータ２４によって回転駆動され、室内から取り込まれ輻射パネル構造体５ａへと送られる空気流を生成する。この空気流は、吸込み口２６から室内機ケーシング２１の内部に取り込まれ、室内熱交換器２２、接続口２７および空気取入れ口５１を通って輻射パネル構造体５ａの内部へと到る空気の流れである。
【００３７】
室内機温度センサ２５には、室内熱交換器の温度や室内空気の温度等を検出する各種の温度センサが含まれる。
輻射パネル構造体５ａは、天井ＣＬの近傍に配置され、温度調整された空気の温度を利用した輻射と、温度調整された空気の吹出しとによって冷暖房等の空気調和を行う。輻射パネル構造体５ａの構成については、後に詳細に説明する。
【００３８】
また、空気調和機１は、制御部６を備えている。制御部６は、室外機３と室内機２とに分かれて配置されており、空気調和機１の運転制御を行う。制御部６は、図３に示すように、圧縮機３１、四路切換弁３２、電動弁３３、室外ファンモータ３４、室外機温度センサ３５、室内ファンモータ２４、室外機温度センサ２５などの構成部品と接続されている。制御部６は、リモコン７から運転指令を受けると、各構成部品を制御して空気調和機１の運転制御を行う。
【００３９】
［輻射パネル構造体の構成］
図２に輻射パネル構造体５ａの外観図を示す。
輻射パネル構造体５ａは、薄い板状の外形を有しており、平面的な形状となっている。また、輻射パネル構造体５ａは、天井ＣＬの近傍に天井ＣＬに平行に配置されており、天井ＣＬに設けられた照明ＬＴ（光源）に対向して配置されている。このため、輻射パネル構造体５ａは、下方の居住空間に対して他の方向よりも大きな投影面積を有している。輻射パネル構造体５ａは、空気取入れ口５１、輻射部５２ａ（圧力発生空間構成部）等を備えている。
【００４０】
空気取入れ口５１は、温度調整された空気を取り入れる部分であり、輻射パネル構造体５ａの側面の一つに設けられた開口である。空気取入れ口５１は、室内機ケーシング２１の接続口２７に脱着自在に接続され、室内ファン２３によって送られる空気（白抜き矢印Ａ１参照）が通過する。
輻射部５２ａは、第１輻射面５４ａ（輻射面）、透明面５５（透過部）および３つの側面５６からなり、空気によって大気圧より大きな圧力が生じる圧力発生空間ＰＳを内部に構成する。
【００４１】
第１輻射面５４ａは、四角形の薄いシート状の形状を有しており、圧力発生空間ＰＳの下方を閉じる。第１輻射面５４ａは、室内の居住空間に面する位置に天井ＣＬと平行に配置されている。また、第１輻射面５４ａは、約０．９の輻射率を有する織布によって形成されている。
透明面５５は、第１輻射面５４ａと同一の形状であり、圧力発生空間ＰＳの上方を閉じる。透明面５５は、第１輻射面５４ａと対向しており、天井ＣＬに面する位置に配置されている。すなわち、透明面５５は、第１輻射面５４ａと天井ＣＬとの間に配置されており、照明ＬＴと第１輻射面５４ａとの間に位置している。また、透明面５５は、透明な材料によって形成されており、照明ＬＴの光を十分に第１輻射面５４ａ側へと透過させる。
【００４２】
３つの側面５６は、細長い長方形の形状を有しており、空気取入れ口５１を除く圧力発生空間ＰＳの側方を閉じる。３つの側面５６は、第１輻射面５４ａの３つの辺と透明面５５の３つの辺とをそれぞれ繋いでいる。また、３つの側面５６は、第１輻射面５４ａおよび透明面５５と同じ織布で形成されている。
このように、輻射パネル構造体５ａは、空気取入れ口５１以外が閉じられた袋状の形状を有している。
【００４３】
［空気調和機の運転動作］
次に、この空気調和機１によって室内の空気調和を行う場合の運転動作について説明する。
冷房運転時には、室内熱交換器２２が、蒸発器として機能して、通過する空気から熱を奪う。室内ファン２３によって吸込み口２６から室内機ケーシング２１内に取り込まれた室内の空気は、室内熱交換器２２を通過する際に熱を奪われて冷却される。
【００４４】
この冷却された空気は、図４に示すように、接続口２７および空気取入れ口５１を通って、輻射部５２ａ内の圧力発生空間ＰＳへと送られる。空気が圧力発生空間ＰＳに送られると、大気圧より大きな正の静圧が圧力発生空間ＰＳに生じる。すなわち、天井ＣＬに平行に流れる空気の流れ（実線矢印Ａ１参照）に対して垂直な方向に大気圧より大きな圧力が生じる。このため、冷却された空気が、第１輻射面５４aおよび側面５６の織布の繊維の隙間から押し出され、室内へと穏やかに吹き出される（実線矢印Ａ３参照）。
【００４５】
また、輻射面５４aおよび側面５６が冷却された空気と接触することによって、輻射面５４aおよび側面５６が冷却される。このため、輻射面５４aおよび側面５６による冷輻射が生じる（破線矢印Ａ４参照）。
このように、この空気調和機１では、輻射面５４aおよび側面５６の繊維の隙間からの穏やかな吹き出しと、輻射面５４aおよび側面５６の冷輻射とによって、室内の冷房が行われる。
【００４６】
暖房運転時には、室内熱交換器２２が凝縮器として機能して、通過する空気を加熱する。加熱された空気は、冷房運転時と同様に、輻射部５２ａ内の圧力発生空間ＰＳへと送られる。そして、加熱された空気が、織布の繊維の隙間から押し出され、室内へと穏やかに吹き出される。また、輻射面５４aおよび側面５６が加熱された空気と接触することによって、輻射面５４aおよび側面５６が加熱される。そして、輻射面５４aおよび側面５６による熱輻射が生じる。このように、この空気調和機１では、輻射面５４aおよび側面５６の繊維の隙間からの穏やかな吹出しと、輻射面５４aおよび側面５６の熱輻射とによって、室内の暖房が行われる。
【００４７】
［間接照明効果］
この空気調和機１は、室内の温度調整を行うだけではなく、室内の照明ＬＴを利用して間接照明の効果を奏することができる。
輻射パネル構造体５ａは、室内の天井ＣＬ近傍に配置され、照明ＬＴに対向している。そして、天井ＣＬに対向している透明部５５が透明である。このため、照明ＬＴから発せられた光は、透明部５５を透過して、第１輻射面５４ａの上側（天井側）へと到達する。第１輻射面５４ａは織布によって形成されているため、第１輻射面５４ａの上側へと到達した光は、織布の隙間を通って第１輻射面５４ａの下方へと透過する。このため、照明ＬＴの光は、第１輻射面５４ａによって拡散され、第１輻射面５４ａは、間接照明として機能する。このため、照明ＬＴの直接的な光よりも穏やかな光が室内へと照射される。
【００４８】
［特徴］
（１）
この空気調和機１では、上記のように輻射パネル構造体５ａが照明ＬＴを利用して間接照明として機能する。このため、穏やかな照明効果が得られる。これにより、この空気調和機１では、居住者等へ視覚的な好影響を与え、居住者等の快適感を向上させることができる。また、この空気調和機１では、輻射パネル構造体５ａが照明ＬＴと一体となりインテリアとして作用するため、空気調和以上の快適効果を居住者等に提供することができる。
【００４９】
（２）
温度調整された空気を直接室内へと吹き出す対流型空気調和機の場合、吹き出された空気が居住者等に直接当たる、いわゆるドラフトが生じやすい。このようなドラフトが生じると、居住者等は不快感を感じることが多い。また、空気の吹出しによって室内の温度調整が行われても、ドラフトによって居住者等の体感温度を悪化させてしまう恐れがある。
【００５０】
この空気調和機１では、上記のように、輻射と穏やかな空気の吹出しとによって室内の冷暖房を行うことができる。このため、ドラフトによる不快感を解消することができる。
（３）
輻射によって空気調和を行う従来の空気調和機では、輻射率の高い金属製の輻射パネルが用いられることが多い。
【００５１】
この空気調和機１では、輻射部５２ａが織布によって形成されているが、この織布は約０．９の輻射率を有する。このため、織布であっても輻射による室内の冷暖房を十分効果的に行うことができる。
また、織布の繊維の隙間から吹き出る空気によって、第１輻射面５４ａの外側まで、輻射部５２ａの内部の温度と同じ温度となっている。このため、輻射による室内の冷暖房を効率的に行うことができる。
【００５２】
さらに、間接照明の効果に関しても、第１輻射面５４ａが織布で形成されているため、繊維の隙間から漏れる光によって、やわらかな印象の照明効果が得られる。このため、居住者等の快適感をより向上させることができる。
（４）
この空気調和機１では、輻射パネル構造体５ａは、室内機ケーシング２１の接続口２７に脱着自在に取り付けられる。このため、輻射パネル構造体５ａを室内機ケーシング２１から取り外すことや、再び取り付けることが容易である。従って、輻射パネル構造体５ａの取付工事やメンテナンスが容易である。
【００５３】
また、輻射部５２ａは織布で形成されている。このため、輻射部５２ａに汚れが付着した場合に、輻射パネル構造体５ａを取り外して洗浄することができる。
さらに、織布の種類が異なる複数の輻射パネル構造体５ａを取り替えることにより、異なる風合いの間接照明効果が得られる。
＜第２実施形態＞
［構成］
本発明の第２実施形態にかかる輻射パネル構造体５ｂを図５から図７に示す。
【００５４】
この輻射パネル構造体５ｂでは、輻射部５２ｂの第１輻射面５４ｂは、第１光透過度を有する第１部５７と、第２光透過度を有する第２部５８とを有する。光透過度は、光を透過させる程度である。第１部５７と第２部５８とは共に織布によって形成されているが、第１部５７と第２部５８とでは、織布の繊維の目の粗さが異なる。第１部５７の方が、第２部５８よりも繊維の目が大きく繊維の目が粗い。このため、第１部５７の第１光透過度は第２部５８の第２光透過度よりも大きく、第１部５７のほうが第２部よりもよく光を透過させる。なお、透明部５５は第１実施形態と同様に透明である。
【００５５】
第１部５７と第２部５８との配置は種々のものが考えられるが、例えば以下の（Ａ）から（Ｃ）のような配置が考えられる。
なお、他の構成については第１実施形態にかかる空気調和機１と同様である。
（Ａ）
図５に示すように、第１輻射面５４ｂは、空気取入れ口５１側と先端５９側とで半分に分かれており、第１部５７が空気取入れ口５１側に位置しており、第２部５８が先端５９側に位置している。
【００５６】
（Ｂ）
図６に示すように。第１部５７は、第１輻射面５４ｂの先端５９側に位置しており、第１輻射面５４ｂの約半分の面積を占めている。第１部５７は、円形の形状を有している。また、第１輻射面５４ｂの第１部５７を除く部分が第２部５８となっている。
（Ｃ）
図７に示すように、第１部５７は第１輻射面５４ｂと比べて小さな円形の形状を有しており、第１輻射面５４ｂの先端５９側の角近傍に位置している。また、第１輻射面５４ｂの第１部５７を除く部分が第２部５８となっている。
【００５７】
なお、第１部５７と第２部５８とを形成する織布は、繊維の目の大きさが異なるだけではなく、材質が異なるものであってもよい。
［特徴］
（１）
この輻射パネル構造体５ｂでは、第１部５７と第２部５８とにおいて異なる透過度で光を透過させることができる。このため、室内の部分ごとに異なる照明効果が得られる。
【００５８】
上記の（Ａ）では、空気取入れ口５１側の下方へ比較的強い光が照射され、先端５９側の下方へ比較的弱い光が照射される。（Ｂ）では、先端５９側の下方の広い部分へ円形の比較的強い光が照射される。（Ｃ）では、先端５９の下方の狭い部分に比較的強い光が照射される。従って、例えば、机や食卓等の上方に第１部５７を位置させることにより、居住者等の手元を比較的明るくすることができる。このように、第１部５７と第２部とを室内空間の使用状況等に合わせて配置することによって、居住者等に適した室内照明を行うことができる。これにより、居住者等の快適感が向上する。
【００５９】
（２）
この空気調和機１では、第１実施形態にかかる輻射パネル構造体５ａと同様に、輻射パネル構造体５ｂは着脱自在である。このため、上記（Ａ）から（Ｄ）のような第１部５７と第２部５８との配置が異なる複数種類の輻射パネル構造体５ｂが、必要に応じて取り替えられてもよい。これにより、室内の使用状況の変化や居住者等の好みに柔軟に対応することができる。
【００６０】
（３）
この輻射パネル構造体５ｂは、輻射と空気の吹出しとによる室内の温度調整等の効果も第１実施形態にかかる輻射パネル構造体５ａと同様に奏することができる。
＜第３実施形態＞
［構成］
本発明の第３実施形態にかかる輻射パネル構造体５ｃを図８および図９に示す。
【００６１】
この輻射パネル構造体５ｃでは、第１部５７は、透明であり、照明ＬＴの真下に位置している。第１部５７は、照明ＬＴの投影面積よりも若干大きい形状を有している。そして、第１部５７には、複数の微小な孔が設けられている。また、第１部５７は、ファスナー等によって第２部５８に取り付けられており、取外しが自在である。さらに、照明ＬＴの真下に位置する第２部５８の一部もファスナー等によって他の部分に取り付けられており、取外しが自在である。
【００６２】
第１輻射面５４ｂの第１部５７を除く部分は、第２実施形態にかかる輻射パネル構造体５ｂと同様に、織布で形成された第２部５８となっている。また、第１実施形態にかかる輻射パネル構造体５ａおよび第２実施形態にかかる輻射パネル構造体５ｂと同様に、輻射部５２ｃの第１輻射面５４ｃと照明ＬＴとの間には透明な透明部５５が設けられている。
他の構成については、第１実施形態にかかる輻射パネル構造体５ａおよび第２実施形態にかかる輻射パネル構造体５ｂと同様である。
【００６３】
なお、透明部５５の全体ではなく、照明ＬＴの真下の部分のみが透明となっていてもよい。
［特徴］
（１）
この輻射パネル構造体５ｃでは、図９に示すように、照明ＬＴの真下に透明な第１部５７が位置している。このため、照明ＬＴの光が、透明部５５および第１部５７を通って殆ど弱められずに居住空間へと照射される（破線矢印Ａ５参照）。このため、輻射パネル構造体５ｃによって照明が遮られることが防止される。従って、特に間接照明よりも直接的な強い光が必要な場合に有効である。これにより、居住者等の快適感が向上する。
【００６４】
（２）
照明ＬＴの光を直接に居住空間へと照射させるために、透明部５５と第１輻射面５４ｃとの一部に開口を設けて、天井ＣＬ側と居住空間側とを連通させることが考えられる。この場合、圧力発生空間ＰＳからの空気の漏れを防ぐために、連通部分の側面は閉じる必要がある。このため、連通部分の側面によって圧力発生空間ＰＳを通る空気の流れが妨げられる恐れがある。
【００６５】
しかし、この輻射パネル構造体５ｃでは、第１部５７が透明であることによって、照明ＬＴの光が直接に居住空間へと照射される。このため、圧力発生空間ＰＳに空気の流れの障害となるものを設ける必要がない。従って、圧力発生空間ＰＳを通る空気の流れが妨げられない（図８の破線矢印および図９の白抜き矢印Ａ１参照）。
（３）
この輻射パネル構造体５ｃでは、第１部５７と第２部５８の一部とが取り外し自在である。このため、輻射パネル構造体５ｃ全体を取り外すことなく、第１部５７と第２部５８の一部とを取り外すことによって、照明ＬＴの取替えが可能である。従って、例えば、照明ＬＴが蛍光灯である場合には、蛍光灯の取替えが容易である。
【００６６】
（４）
この輻射パネル構造体５ｃでは、第１部５７は透明な材料で形成されているが、第１部５７には、複数の微小な孔が設けられている。このため、織布で形成された第２部５８だけではなく、第１部５７からも圧力発生空間ＰＳの空気が吹き出される。このため、第１部５７における結露の発生が防止される。
【００６７】
＜第４実施形態＞
［構成］
本発明の第４実施形態にかかる輻射パネル構造体５ｄを図１０に示す。
この輻射パネル構造体５ｄは、照明ＬＴの光を反射する反射部材６０を備える。また、輻射パネル構造体５ｄの輻射部５２ｄは、第１実施形態と同様の第１輻射面５４ｄや透明部５５を有しており、反射部材６０は、第１輻射面５４ｄと透明部５５との間の圧力発生空間ＰＳに配置されている。反射部材６０は、照明ＬＴの光を反射して第１輻射面５４ｄへと送る。
【００６８】
他の構成については、第１実施形態にかかる空気調和機１と同様である。
なお、反射部材６０は、透明部５５の上側の面に配置されてもよい。また、第１輻射面５４ｄに、第２実施形態および第３実施形態にかかる第１部５７と第２部５８とが設けられてもよい。
［特徴］
（１）この輻射パネル構造体５ｄでは、反射部材６０によって照明ＬＴの光を反射させることができる。このため、この輻射パネル構造体５ｄでは、照明ＬＴの光が不要な部分へ光が到達しないように光を反射させることにより、室内の使用状況等に応じたより快適な照明効果が得られる。逆に、特定の部分に光が必要な場合には、照明ＬＴの光がその部分へと到達するように、反射部材６０が配置されるとよい。これにより、光が必要な部分へと光が反射され、より快適な照明効果が得られる。
【００６９】
（２）光を拡散させることが望まれる状況では、照明ＬＴの光が拡散されるように反射部材６０が配置されてもよい。これにより、第１輻射面５４ｄへと光が拡散されて室内の広範囲を照らすことができる。
＜第５実施形態＞
［構成］
本発明の第５実施形態にかかる輻射パネル構造体５ｅを図１１に示す。
【００７０】
この輻射パネル構造体５ｅは、照明ＬＴの光を吸収する吸収部材６１を備える。また、輻射パネル構造体５ｅの輻射部５２ｅは、第１実施形態と同様の第１輻射面５４ｅや透明部５５を有しており、吸収部材６１は、第１輻射面５４ｅと透明部５５との間の圧力発生空間ＰＳに配置されている。吸収部材６１は、照明ＬＴの光を吸収して第１輻射面５４ｅへと到達させない。
【００７１】
他の構成については、第１実施形態にかかる空気調和機１と同様である。
なお、吸収部材６１は、透明部５５の上側の面に配置されてもよい。また、第１輻射面５４ｅに、第２実施形態および第３実施形態にかかる第１部５７と第２部５８とが設けられてもよい。
［特徴］
この輻射パネル構造体５ｅでは、吸収部材６１によって照明ＬＴの光を吸収させることができる。このため、この輻射パネル構造体５ｅでは、照明ＬＴの光が不要な部分へ光が到達しないように光を吸収させ、部分的に光を遮断することができる。このため、室内の使用状況等に応じたより快適な照明効果が得られる。
【００７２】
＜第６実施形態＞
［構成］
本発明の第６実施形態にかかる輻射パネル構造体５ｆを図１２（ａ）および図１２（ｂ）に示す。
この輻射パネル構造体５ｆは、空気取入れ口５１と天井ＣＬ側とが開かれた形状となっている。すなわち、この輻射パネル構造体５ｆでは、輻射部５２ｆは、室内の居住空間に対向し天井ＣＬ近傍に配置される第１輻射面５４ｆと、第１輻射面５４ｆと天井ＣＬとを繋ぐ３つの側面５６とを備える。第１輻射面５４ｆは圧力発生空間ＰＳの下方を閉じ、３つの側面５６は圧力発生空間ＰＳの空気取入れ口５１を除く側方を閉じている。このように、第１輻射面５４ｆと側面５６と天井ＣＬとによって、圧力発生空間ＰＳが構成されている。
【００７３】
また、第１輻射面５４ｆは、天井ＣＬに設けられた照明ＬＴに対向しており、上記の実施形態にかかる第１輻射面５４ａと同様に、約０．９の輻射率を有する織布によって形成されている。
なお、図１２（ａ）は、圧力発生空間ＰＳの空気流れ（実線矢印Ａ１）に垂直な方向から見た輻射パネル構造体５ｆの側面図であり、図１２（ｂ）は、圧力発生空間ＰＳの空気流れの下流側から見た輻射パネル構造体５ｆの側面図である。
【００７４】
他の構成については第１実施形態にかかる空気調和機１と同様である。
［特徴］
（１）
この輻射パネル構造体５ｆにおいては、照明ＬＴの光が直接に第１輻射面５４ｆの上側（天井側）に照射され、第１輻射面５４ｆの繊維の目を通って、下方の居住空間へと到達する。このため、第１実施形態にかかる輻射パネル構造体５ａと同様の間接照明の効果が得られる。
【００７５】
（２）
この輻射パネル構造体５ｆにおいては、天井ＣＬと第１輻射面５４ｆとの間に圧力発生空間ＰＳが構成されることにより、第１実施形態にかかる輻射パネル構造体５ａと同様に、穏やかな吹出しと輻射による温度調整を行うことができる。このため、第１実施形態にかかる輻射パネル構造体５ａと同様の効果を奏することができる。
【００７６】
（３）
この輻射パネル構造体５ｆでは、第１輻射面５４ｆが天井ＣＬ近傍に配置されることにより、輻射パネル構造体５ｆがより室内の高い位置に配置される。このため、輻射パネル構造体５ｆは、居住空間の居住者等の妨げとなる恐れが少ない。また、居住者等が圧迫感を受ける恐れも少ない。
【００７７】
（４）
なお、第１輻射面５４ｆに、第２実施形態および第３実施形態にかかる第１部５７と第２部５８とが設けられてもよい。また、第４実施形態にかかる反射部材６０や第５実施形態にかかる吸収部材６１が設けられてもよい。これにより、上記と同様の効果が得られる。
【００７８】
＜他の実施形態＞
（１）
上記の実施形態では、第１輻射面５４ａ−５４ｆは、少なくとも一部が柔軟性を有する繊維系材料によって形成されているが、金属材料や合成樹脂材料など剛性を有する材料で形成されてもよい。この場合、第１輻射面５４ａ−５４ｆの部位によって大きさの異なる複数の孔を設けることにより、上記と同様の効果を奏することができる。また、第２実施形態では、大きさまたは数の異なる複数の孔が、第１輻射面５４ｂの第１部５７と第２部５８とにそれぞれ設けられてもよい。
【００７９】
さらに、上記の実施形態では、輻射部５２ａ−５２ｆの材料として織布が使用されているが、織布以外の繊維系材料が使用されてもよい。
（２）
上記の実施形態では、天井ＣＬに設けられた照明ＬＴが光源として利用されているが、窓などから取り入れられる自然光が利用されてもよい。
【００８０】
（３）
上記の実施形態では、第１部５７と第２部５８とが異なる繊維の目の大きさを有している、または、第１部５７が透明材料で形成されているが、第１輻射面５４ａ−５４ｆの形状や色彩などのデザインによって所定の照明効果が得られてもよい。
（４）
上記の実施形態では、透明部５５や第１部５７が透明となっているが、この場合の「透明」には、完全な透明だけではなく半透明も含まれる。透明部５５や第１部５７が半透明な場合も上記と同様の効果が得られる。また、透明部５５や第１部５７を半透明にすることによって、より穏やかな光を居住空間へ到達させることもできる。
【００８１】
また、透明部５５の全体が透明となっているのではなく、その一部のみが透明となっていてもよい。
さらに、透明部５５に代わって、織布で形成された第２輻射面が設けられてもよい。この場合、照明ＬＴの光は、第２輻射面の繊維の目と第１輻射面５４ａ−５４ｅの繊維の目を通ることにより、上記と同様の間接照明の効果が得られる。
【００８２】
（５）
上記の実施形態では、０．９の輻射率を有する織布が使用されているが、０．６以上、より望ましくは０．７以上もしくは０．８以上の輻射率を有する織布であればよい。さらに、必要な輻射能力や用途に応じて０．６以下の輻射率であってもよく、この場合も室内の温度調整は可能である。
【００８３】
（６）
上記の実施形態では、天井ＣＬ近傍に輻射パネル構造体５ａ−５ｆが配置されているが、輻射パネル構造体５ａ−５ｆが室内の側壁ＷＬ（図１および図１２参照）近傍に沿うように配置されてもよい。
（７）
上記の実施形態にかかる輻射パネル構造体５ａ−５ｆは、接続口２７に着脱自在に取り付けられるが、既存の対流型空気調和機に取り付け可能となっていてもよい。これにより、既存の対流型空気調和機を有効利用して、上記と同様の空気調和機１を簡易に構成することができる。
【００８４】
（８）
上記の第１実施形態から第５実施形態にかかる輻射パネル構造体５ａ−５ｅでは、照明ＬＴは、天井面ＣＬに設けられているが、輻射パネル構造体５ａ−５ｅの圧力発生空間ＰＳ内に設けられてもよい。この場合も、照明ＬＴから発せられた光が輻射面第１輻射面５４ａ−５４ｆを透過して室内Ｒへと照射される。これによって、間接照明の効果を奏することができる。
【産業上の利用可能性】
【００８５】
本発明は、光源を利用して居住者等の快適感を向上させることができる効果を有し、輻射パネル構造体および空気調和機として有用である。
【図面の簡単な説明】
【００８６】
【図１】第１実施形態にかかる空気調和機の側面図。
【図２】第１実施形態にかかる輻射パネル構造体の外観図。
【図３】制御ブロック図。
【図４】輻射パネル構造体における空気の流れ及び輻射を示す図。
【図５】第２実施形態にかかる輻射パネル構造体の一例を示す図。
【図６】第２実施形態にかかる輻射パネル構造体の一例を示す図。
【図７】第２実施形態にかかる輻射パネル構造体の一例を示す図。
【図８】第３実施形態にかかる輻射パネル構造体の外観図。
【図９】図８におけるIX−IX断面図。
【図１０】第４実施形態にかかる輻射パネル構造体の外観図。
【図１１】第５実施形態にかかる輻射パネル構造体の外観図。
【図１２】（ａ）第６実施形態にかかる輻射パネル構造体の側面図。            （ｂ）第６実施形態にかかる輻射パネル構造体の側面図。
【符号の説明】
【００８７】
１                空気調和機
５ａ−５ｆ        輻射パネル構造体
２７              接続口（取付部）
５１              空気取入れ口（空気取入れ部）
５２ａ−５２ｆ    輻射部（圧力発生空間構成部）
５４ａ−５４ｆ    第１輻射面（輻射面）
５５              透明面（透過部）
５７              第１部
５８              第２部
６０              反射部材
６１              吸収部材
ＣＬ              天井
ＬＴ              照明（光源）
ＰＳ              圧力発生空間
【図１】
2004294053.tif 000003
【図２】
2004294053.tif 000004
【図３】
2004294053.tif 000005
【図４】
2004294053.tif 000006
【図５】
2004294053.tif 000007
【図６】
2004294053.tif 000008
【図７】
2004294053.tif 000009
【図８】
2004294053.tif 000010
【図９】
2004294053.tif 000011
【図１０】
2004294053.tif 000012
【図１１】
2004294053.tif 000013
【図１２】
2004294053.tif 000014